(57)【特許請求の範囲】
【請求項１】
熱伝導性に優れる円筒状部材からなり、その軸方向に垂直な断面において、前記円筒状部材の中心より外側に平面を有する溝状の凹部を形成して光源取付部とすると共に、前記平面から前記中心を通る垂直線に対し夫々が４５°となる位置には板状部材を放射状に突出させ、該板状部材の先端には適宜板厚の弧状部材が形成されており、前記弧状部材の外縁が、前記中心をその中心とする円の円周の一部を構成し、且つ、それぞれの弧状部材は、弧状部材同士及び前記光源取付部との間には適宜な間隙を有するものとして形成されたヒートシンクと、前記ヒートシンクの前記光源取付部に配線基板を介して取付けられた少なくとも１つのＬＥＤと、前記ヒートシンクを前記中心で回動自在に支持するホルダと、前記ヒートシンクとは適宜の間隙を設けて取付けられるケース部と、前記ケース部に設けられる給電部とからなり、前記給電部から前記ホルダを介して前記配線基板に給電が行われていることを特徴とする照明用灯具。 
【請求項２】
前記ヒートシンクがアルミニウムで形成されていることを特徴とする請求項１記載の照明用灯具。 
【発明の詳細な説明】
【技術分野】
【０００１】
近年、ＬＥＤの発光効率、発光出力が向上すると共に、白色発光が可能となったので、例えば、ショーケース、ショーウインドウ用の照明装置として、蛍光灯に変わるライン状の形状のものが要求されるようになり、また、省電力、長寿命の面からも普及が期待されている。本発明は、例えば、コンセントレールに密接しての取付けを可能とし、上記の目的の達成を可能としようとするものである。
【背景技術】
【０００２】
従来のこの種のコンセントレール（従来例では、線状コンセントと称している）への取付を可能としたＬＥＤ照明器具９０の構成の例を示すものが図７〜図９であり、図７、図８に示すように、このＬＥＤ照明器具９０のフレーム９１にはコンセントレールに挿入するための端子９２が取付けられ、この端子９２からは、前記フレーム９１に取付けられた筐体９３中に配線９４が引き込まれている。
【０００３】
この従来例においては、前記筐体９３は前記フレーム９１に回転軸Ｃにより接続されているので、前記筐体９３は前記回転軸Ｃを中心として回動可能であり、即ち、図９に示すように、前記筐体９３を回転軸Ｃにより傾けることでコンセントレールに対して直交する方向に照明方向を変化させることが可能となる。なお、前記筐体９３内には複数のＬＥＤが設置されており、前記ＬＥＤ９４の上面は、例えば乳白色の樹脂板９５で覆われている。
【特許文献１】実用新案登録第３１３６５９９号公報
【発明の開示】
【発明が解決しようとする課題】
【０００４】
近年にいたり、ＬＥＤの大電力化が可能となり、光量の増加が可能となっている。しかしながら、上記の大電力化に伴い、ＬＥＤの点灯時の温度も上昇するものとなって、例えば、ヒートシンクの取付けなどによるＬＥＤの温度上昇の抑制も必須事項となっている。即ち、ヒートシンクの取付けがＬＥＤの照明への実用化の必要条件の一つの要素と成っているが、上記の従来例にはヒートシンクに関する記載は何れにも認められず、汎用照明に対して必要充分な性能は得られないことが予想される。
【課題を解決するための手段】
【０００５】
本発明は、上記した従来の課題を解決するための具体的手段として、熱伝導性に優れる円筒状部材からなり、その軸方向に垂直な断面において、前記円筒状部材の中心より外側に平面を有する溝状の凹部を形成して光源取付部とすると共に、前記平面から前記中心を通る垂直線に対し夫々が４５°となる位置には板状部材を放射状に突出させ、該板状部材の先端には適宜板厚の弧状部材が形成されており、前記弧状部材の外縁が、前記中心をその中心とする円の円周の一部を構成し、且つ、それぞれの弧状部材は、弧状部材同士及び前記光源取付部との間には適宜な間隙を有するものとして形成されたヒートシンクと、前記ヒートシンクの前記光源取付部に配線基板を介して取付けられた少なくとも１つのＬＥＤと、前記ヒートシンクを前記中心で回動自在に支持するホルダと、前記ヒートシンクとは適宜の間隙を設けて取付けられるケース部と、前記ケース部に設けられる給電部とからなり、前記給電部から前記ホルダを介して前記配線基板に給電が行われていることを特徴とする照明用灯具を提供することで課題を解決するものである。
【発明の効果】
【０００６】
本発明により、ＬＥＤにヒートシンクを取付けた状態で、コンセントレールに対してＬＥＤの発光方向を、前記コンセントレールに対して直角方向に変更できるものとしたことで、例えば、蛍光灯で照明していたときと同程度、或いは、より以上の明るさが、照射を目的とする方向に得られるものとなり、蛍光灯との代替を可能なものとして、消費電力の低減、寿命の延長によるメンテナンスの簡素化などに優れた効果を奏するものとなる。
【発明を実施するための最良の形態】
【０００７】
つぎに、本発明を図に示す実施形態に基づいて詳細に説明する。図１に符号１で示すものは本発明に係る照明用灯具であり、この照明用灯具１は、コンセントレールに挿着するための端子２ａが取付けられている筐体２と、前記筐体２の両端に取付けられる一対のホルダ３と、前記ホルダ３に設けられた軸受けなど係合手段３ａに回動自在として取付けられるヒートシンク４とから構成されている。
【０００８】
図２及び図３に示すものは、前記ヒートシンク４であり、このヒートシンク４は図２に示すように、アルミニウムの押し出し材などで、略棒状に、かつその断面において、その外縁が円周の部分を構成するように形成され任意に長さに切断されることで形成される。そして、断面は図３に示すような形状とされている。以下に、前記ヒートシンクの形状を図３により詳細に説明する。なお、説明時における上下左右は図示の状態を基準として称するものとする。
【０００９】
先ず、基本的には、本発明に係るヒートシンク４は、円筒形状を基本とする形態をしており、その断面において、ヒートシンク４の外縁は、Ｐを中心とする円の円周Ｄの一部を構成する。そして、第一には、ＬＥＤ５を配置するべき光源取付部４ａが、円筒の上方から広幅で且つ平坦な底面を有する溝状の凹部として形成されている。このときに、前記光源取付部４ａは、前記円周Ｄよりも狭い適宜の幅とされて、両端に適宜な高さの縁部４ｂが残るようにされ、また、底面は前記円周Ｄの中心Ｐまで達しない深さとされている。
【００１０】
また、前記円周Ｄの下方には、前記中心Ｐを通る垂直線に対して夫々が４５°となる放射状に前記ヒートシンク４の長さ方向に沿い１対の板状部材４ｃが形成されている。そして、前記板状部材４ｃの夫々の先端には、外縁を前記円周Ｄに沿わせる弧状部材４ｄが付随されている。 
【００１１】
このときに、前記板状部材４ｃの先端に付随される前記弧状部材４ｄ間、及び、前記光源取付部４ａの裏面４ｅの間には適宜な間隙４ｆが設けられている。また、前記ヒートシンク４の前記光源取付部４ａには、適宜数の例えば青色ＬＥＤ５が搭載された配線基板６が所定位置としてが取付けられ、各ＬＥＤ５は蛍光体添加樹脂５ａで覆われた後に透明樹脂によるレンズ５ｂなどで覆われるものとされている。
【００１２】
尚、前記ヒートシンク４の中心には適宜径の軸取付穴４ｇが設けられ、例えば、ネジ切りなどが行われて、ホルダ３側から回転軸など係合手段３ａが取付けられるものとされ、上記にも説明したように、前記ホルダ３の係合手段３ａと共に回動を自在とする接続が行えるようにされている。
【００１３】
図４は、上記説明のようにＬＥＤ５が取付けられた前記ヒートシンク４と、前記筐体２との相互の位置関係を示すものであり、前記筐体２の上面２ｂは前記ヒートシンク４の円周Ｄよりも適宜に大きな曲率を有する凹面で形成されており、これにより、前記ヒートシンク４の回動を自在とすると共に、前記筐体２との間に空隙Ｆを設けて、前記ヒートシンク４の冷却が一層に促進されるように図られている。 
【００１４】
また、前記ヒートシンク４の中心Ｐから前記筐体２を見込むときの角度は９０°ないしはそれ以下とされていて、図５に示すように、前記ヒートシンク４を前記筐体２に対して９０°までのどのような角度に設定したときにも、前記弧状部材４ｄ間、及び、前記光源取付部４ａの裏面４ｅの間に設けられた間隙４ｆの２箇所が直接に外気に面するものとなって、一層に前記ヒートシンク４の冷却を促進する。
【００１５】
尚、図６にに示すように、前記筐体２の側には、例えば、ＬＥＤ５の電流制限抵抗器などを組み込むものとすれば、発熱源が分散されて、ＬＥＤ５に与える熱量も減じ好ましいものとなる。また、前記コンセントレールに印加されている電圧が、例えばＡＣ１００Ｖである場合には、ＡＣ／ＤＣコンバータを搭載しても良いものである。
【００１６】
即ち、本発明においては、コンセントレールに、照明用灯具１を端子２ａで取付けるものであるので、例えば、前記コンセントレールに直流が供給されている場合には、極性を有するＬＥＤ５に対して逆接となる可能性も生じる。よって、上記ＡＣ／ＤＣコンバータに換えてダイオードブリッヂを用いても良いものである。
【００１７】
ここで、本発明の照明用灯具１の最終的な組立に当たっては、先ず、前記筐体２の両端に、ネジ止めなど適宜な手段でホルダ３を取付けた後に、両ホルダ３間にヒートシンク４を所定の位置に保持した状態で、例えばネジなどにより前記ホルダ３の係合手段３ａを貫通してヒートシンク４に設けられた軸取付穴４ｇに螺着を行えば、前記ＬＥＤ５が搭載されたヒートシンク４は筐体２に対して回動自在となる。
【００１８】
そして、ヒートシンク４の部分を所望の方向に向ければ、所望の方向の照射が行えるものとなる点は従来例のものと同様であるが、先ず、第一には、前記ヒートシンク４上にＬＥＤ５が搭載されたことで、従来例のものよりもＬＥＤ５の放熱性が格段に向上し、ＬＥＤ５の許容温度を同じとする場合にも流せる電流値は増加する。したがって、従来例に比較して格段に明るい照明用灯具１となり実用性が向上する。
【００１９】
また、本発明では、ヒートシンク４を円状の円周Ｄを有するものとしたことで、基本的には、発光位置は円弧上で移動するものとなり、従来例の箱状の頂点に発光部があるものに比べて、夫々のユニットに段差を生じる度合いが少なくできる。よって、コンセントレールに対して直交する方向に広い範囲を照明することが要求されたときにも観視者に違和感を生じさせることが少ない。 
【図面の簡単な説明】
【００２０】
【図１】本発明に係る照明用灯具を示す斜視図である。
【図２】本発明に係る照明用灯具におけるヒートシンクを示す斜視図である。
【図３】図２のＡ−Ａ線に沿う断面図である。
【図４】ヒートシンクと筐体との相互位置関係を示す説明図である。
【図５】筐体に対してヒートシンクを回転させたときの状態を示す説明図である。
【図６】図１のＢ−Ｂ線に沿う断面図である。
【図７】従来例を示す側面図である。
【図８】従来例を示す正面図である。
【図９】従来例を作動させた状態で示す説明図である。
【符号の説明】
【００２１】
１…照明用灯具
２…筐体
２ａ…端子
３…ホルダ
３ａ…係合手段
４…ヒートシンク
４ａ…光源取付部
４ｂ…縁部
４ｃ…板状部材
４ｄ…弧状部材
４ｅ…光源取付部の裏面
４ｆ…間隙
４ｇ…軸取付穴
５…ＬＥＤ
５ａ…蛍光体添加樹脂
５ｂ…レンズ
６…配線基板
【図１】
0005124315.tif 000002
【図２】
0005124315.tif 000003
【図３】
0005124315.tif 000004
【図４】
0005124315.tif 000005
【図５】
0005124315.tif 000006
【図６】
0005124315.tif 000007
【図７】
0005124315.tif 000008
【図８】
0005124315.tif 000009
【図９】
0005124315.tif 000010